(57)【要約】【課題】ヘッダーカードから情報を読み取ることができないという現象が発生しても処理効率を低下させずに紙葉類を処理することができる紙葉類処理装置を提供する。【解決手段】紙葉類処理装置は、第１の識別情報が付与された第１の紙葉類と第２の紙葉類とを有する紙葉類組を１つ以上有する紙葉類群を構成する処理対象紙葉類を順次処理する紙葉類処理装置であって、前記処理対象紙葉類から前記第１の識別情報を読み取る識別部と、前記識別部が前記処理対象紙葉類から前記第１の識別情報を読み取ることができず、且つ、所定条件が満たされる場合に、前記処理対象紙葉類に対応付けた第２の識別情報を生成する制御部と、を備える。【選択図】図１
2019028676.tif 000002
【特許請求の範囲】
【請求項１】
第１の識別情報が付与された第１の紙葉類と第２の紙葉類とを有する紙葉類組を１つ以上有する紙葉類群を構成する処理対象紙葉類を順次処理する紙葉類処理装置であって、
前記処理対象紙葉類から前記第１の識別情報を読み取る識別部と、
前記識別部が前記処理対象紙葉類から前記第１の識別情報を読み取ることができず、且つ、所定条件が満たされる場合に、前記処理対象紙葉類に対応付けた第２の識別情報を生成する制御部と、
を備える、紙葉類処理装置。
【請求項２】
前記識別部は、前記処理対象紙葉類が前記第１の紙葉類であるか否かを識別し、
前記所定条件は、前記処理対象紙葉類が前記第１の紙葉類であるということである、
請求項１に記載の紙葉類処理装置。
【請求項３】
前記所定条件は、前記処理対象紙葉類が前記紙葉類群の処理の開始後最初に処理される紙葉類であるということである、
請求項１に記載の紙葉類処理装置。
【請求項４】
前記所定条件は、前記処理対象紙葉類が他の前記紙葉類群の処理の終了後最初に処理される紙葉類であるということである、
請求項１に記載の紙葉類処理装置。
【請求項５】
前記制御部は、前記紙葉類群の処理が終了した後に、前記識別部による識別結果に基づく処理結果を出力し、
前記所定条件は、前記処理対象紙葉類が前記処理結果の出力後最初に処理される紙葉類であるということである、
請求項１に記載の紙葉類処理装置。
【請求項６】
前記第２の識別情報の更新情報又は前記処理対象紙葉類と前記第２の識別情報との対応付けの解除指令が入力される入力部を更に備え、
前記制御部は、前記更新情報又は前記解除指令に基づいて、前記第２の識別情報の更新又は前記処理対象紙葉類と前記第２の識別情報との対応付けの解除を行う、
請求項１乃至５の何れかに記載の紙葉類処理装置。
【請求項７】
前記入力部には前記更新情報として前記第１の識別情報が入力され、前記制御部は、前記第２の識別情報を前記入力部に入力された前記第１の識別情報に更新する、
請求項６に記載の紙葉類処理装置。
【請求項８】
前記制御部は、前記第２の識別情報との対応付けが解除される前記処理対象紙葉類と、当該処理対象紙葉類の後に処理された前記第１の紙葉類の中で最初に処理された前記第１の紙葉類との間に処理された前記第２の紙葉類を、当該処理対象紙葉類の前に処理された前記第１の紙葉類の中で最後に処理された前記第１の紙葉類を有する紙葉類組に含ませる処理を行う、
請求項６に記載の紙葉類処理装置。
【請求項９】
請求項１乃至８の何れかに記載の紙葉類処理装置と、
前記紙葉類処理装置と通信可能に接続され、前記第２の識別情報を取得する端末と、
を有する、紙葉類処理システム。
【請求項１０】
第１の識別情報が付与された第１の紙葉類と第２の紙葉類とを有する紙葉類組を１つ以上有する紙葉類群を構成する処理対象紙葉類を順次処理する紙葉類処理方法であって、
前記処理対象紙葉類から前記第１の識別情報を得るステップと、
前記処理対象紙葉類から前記第１の識別情報を得ることができず、且つ、所定条件が満たされる場合に、前記処理対象紙葉類に対応付けた第２の識別情報を生成するステップと、
を含む、紙葉類処理方法。
【請求項１１】
第１の識別情報が付与された第１の紙葉類と第２の紙葉類とを有する紙葉類組を１つ以上有する紙葉類群を構成する処理対象紙葉類を順次処理する紙葉類処理プログラムであって、
前記処理対象紙葉類から前記第１の識別情報を得る手順と、
前記処理対象紙葉類から前記第１の識別情報を得ることができず、且つ、所定条件が満たされる場合に、前記処理対象紙葉類に対応付けた第２の識別情報を生成する手順と、
をコンピュータに実行させる、紙葉類処理プログラム。
【発明の詳細な説明】
【技術分野】
【０００１】
本発明は、紙葉類を処理する紙葉類処理装置、紙葉類処理システム、紙葉類処理方法及び紙葉類処理プログラムに関する。
【背景技術】
【０００２】
従来、バーコード等の形態で情報が付されたヘッダーカード（以下、必要に応じて「ＨＣ」と記載）を用いて複数の紙幣束を区分けして処理する紙葉類処理システムが提案されている。
【０００３】
特許文献１にこのような紙葉類処理システムの一例が開示されている。特許文献１に開示されている紙葉類処理システムにおいては、バーコードが付されたＨＣから情報を読み取ることができなかった場合、ＨＣ及び当該ＨＣに対応付けられている各紙幣は、一旦紙葉類処理装置内を搬送された後、リジェクト集積部に集められる。その後、リジェクト集積部に集められた各紙幣は、新規ＨＣとともに紙葉類処理装置に再度供給され、処理される。
【先行技術文献】
【特許文献】
【０００４】
【特許文献１】特開２００７−０１１９４９号公報
【発明の概要】
【発明が解決しようとする課題】
【０００５】
このように、特許文献１に開示された紙葉類処理システムでは、ＨＣから情報を読み取ることができなかった場合、当該ＨＣに対応付けられた各紙幣は紙葉類処理装置内を２回搬送されることになる。
【０００６】
よって、特許文献１に開示された紙葉類処理システムを用いる場合、ＨＣから情報を読み取ることができないという現象が発生すると、処理効率は著しく低下する。
【０００７】
本発明は、ヘッダーカードから情報を読み取ることができないという現象が発生しても処理効率を低下させずに紙葉類を処理することができる紙葉類処理装置、紙葉類処理システム、紙葉類処理方法及び紙葉類処理プログラムを提供することを課題とする。
【課題を解決するための手段】
【０００８】
本発明に係る紙葉類処理装置は、第１の識別情報が付与された第１の紙葉類と第２の紙葉類とを有する紙葉類組を１つ以上有する紙葉類群を構成する処理対象紙葉類を順次処理する紙葉類処理装置であって、前記処理対象紙葉類から前記第１の識別情報を読み取る識別部と、前記識別部が前記処理対象紙葉類から前記第１の識別情報を読み取ることができず、且つ、所定条件が満たされる場合に、前記処理対象紙葉類に対応付けた第２の識別情報を生成する制御部と、を備える。
【０００９】
本発明に係る紙葉類処理システムは、第１の識別情報が付与された第１の紙葉類と第２の紙葉類とを有する紙葉類組を１つ以上有する紙葉類群を構成する処理対象紙葉類を順次処理する紙葉類処理装置であって、前記処理対象紙葉類から前記第１の識別情報を読み取る識別部と、前記識別部が前記処理対象紙葉類から前記第１の識別情報を読み取ることができず、且つ、所定条件が満たされる場合に、前記処理対象紙葉類に対応付けた第２の識別情報を生成する制御部と、を備える紙葉類処理装置と、前記紙葉類処理装置と通信可能に接続され、前記第２の識別情報を取得する端末と、を有する。
【００１０】
本発明に係る紙葉類処理方法は、第１の識別情報が付与された第１の紙葉類と第２の紙葉類とを有する紙葉類組を１つ以上有する紙葉類群を構成する処理対象紙葉類を順次処理する紙葉類処理方法であって、前記処理対象紙葉類から前記第１の識別情報を得るステップと、前記処理対象紙葉類から前記第１の識別情報を得ることができず、且つ、所定条件が満たされる場合に、前記処理対象紙葉類に対応付けた第２の識別情報を生成するステップと、を含む。
【００１１】
本発明に係る紙葉類処理プログラムは、第１の識別情報が付与された第１の紙葉類と第２の紙葉類とを有する紙葉類組を１つ以上有する紙葉類群を構成する処理対象紙葉類を順次処理する紙葉類処理プログラムであって、前記処理対象紙葉類から前記第１の識別情報を得る手順と、前記処理対象紙葉類から前記第１の識別情報を得ることができず、且つ、所定条件が満たされる場合に、前記処理対象紙葉類に対応付けた第２の識別情報を生成する手順と、をコンピュータに実行させる。
【発明の効果】
【００１２】
本発明によれば、ヘッダーカードから情報を読み取ることができないという現象が発生しても処理効率を低下させずに紙葉類を処理することができる。
【図面の簡単な説明】
【００１３】
【図１】紙葉類処理装置の模式図。
【図２】処理される紙葉類群の模式図。
【図３】他の実施形態に係る紙葉類処理装置の模式図。
【発明を実施するための形態】
【００１４】
以下、本発明について、図面を参照しながら詳細に説明する。以下の説明では、紙葉類として紙幣が用いられる場合について説明する。
【００１５】
なお、本明細書において「リジェクト紙幣」とは、所定の処理で処理対象とできない紙幣をいう。リジェクト紙幣には、例えば、偽札や、後述する識別部を斜行状態や重送状態で通過したために識別部によって正しく識別されなかった紙幣が含まれる。「正券」とは、汚れや破れ等が比較的少ない状態の紙幣をいい、「損券」とは、汚れや破れ等が比較的多い状態の紙幣をいう。
【００１６】
図１は、本発明の一実施形態である紙幣処理装置１の断面模式図である。紙幣処理装置１は、銀行、現金センター等に設置され、紙幣を真偽、正損、金種等に応じて仕分けする装置である。なお、現金センターとは、銀行や小売店等に設置されている現金処理機から回収した現金を計数するとともに仕分けを行う拠点である。
【００１７】
紙幣処理装置１は、ＨＣと紙幣を積層状態で載置するためのホッパを有する紙幣投入部１０を備える。紙幣投入部１０は、繰出ローラ等からなる繰出機構（不図示）を有する。操出機構は、上下方向に積層されているＨＣと紙幣を下側から順に１枚ずつ紙幣処理装置１の内部に繰り出す。なお、ＨＣは紙、樹脂等のシート状部材から形成されている。
【００１８】
紙幣処理装置１は、紙幣の搬送を行う搬送部２０を備える。搬送部２０は、例えば、複数の搬送ローラ（不図示）と、搬送ローラの間に張架された搬送ベルト（不図示）とから構成されている。搬送部２０は、紙幣投入部１０から繰り出されたＨＣ及び紙幣を１枚ずつ搬送する。
【００１９】
搬送部２０上には識別部３０が設けられている。識別部３０は第１識別部３１と第２識別部３２とを備える。第１識別部３１及び第２識別部３２は、それぞれ、磁気センサ、光学センサ等の各種センサを有する。
【００２０】
第１識別部３１は、少なくとも、搬送部２０によって搬送される紙葉類がＨＣであるか否かを識別するために必要な、光学特性、磁気特性、形状、寸法等の特性を、当該紙葉類から取得する。
【００２１】
第２識別部３２は、少なくとも、バーコード等の形態でＨＣに付されている第１の識別情報を、当該ＨＣから取得する。なお、第１の識別情報とは、ＨＣと対応付けられている紙幣（紙幣束）属性を表す情報である。
【００２２】
また、第１識別部３１及び第２識別部３２の少なくとも一方は、金種、真偽、正損等の識別に必要な情報を紙幣から取得する。なお、第１識別部３１と第２識別部３２はいずれが搬送部２０上の上流側に配置されても良い。また、識別部３０は、第１識別部３１及び第２識別部３２とは別に、金種、真偽、正損等の識別に必要な情報を紙幣から取得する第３識別部を備えても良い。
【００２３】
紙幣処理装置１はその上部にリジェクト部４０を備える。リジェクト部４０は第１のリジェクト部４１と第２のリジェクト部４２とから構成される。第１のリジェクト部４１及び第２のリジェクト部４２はそれぞれ搬送部２０に接続されている。第１リジェクト部４１又は第２リジェクト部４２には、識別部３０によりリジェクト紙幣であると識別された紙幣及び識別部３０により識別することができなかった紙幣が搬送され、集積される。また、ＨＣを含む紙幣以外の紙葉類も、第１リジェクト部４１又は第２リジェクト部４２に搬送され、集積される。第１リジェクト部４１又は第２リジェクト部４２に集積された紙葉類は、紙幣処理装置１の外部に取り出すことができる。なお、リジェクト部４０は、第１リジェクト部４１のみから構成されても良い。
【００２４】
また、紙幣処理装置１はその下部に集積部５０を備える。集積部５０は第１スタッカ５１、第２スタッカ５２、第３スタッカ５３及び第４スタッカ５４から構成されている。第１スタッカ５１乃至第４スタッカ５４はそれぞれ搬送部２０に接続されている。第１スタッカ５１乃至第４スタッカ５４には、識別部３０により正常な紙幣であると識別された紙幣が、金種等毎に仕分けられて搬送され、集積される。集積された紙幣は、紙幣処理装置１の外部に取り出すことができる。なお、集積部５０を構成するスタッカの数が４に限られないことは勿論である。
【００２５】
また、紙幣処理装置１は、当該紙幣処理装置１の各構成要件を制御する制御部６０を備える。制御部６０はＣＰＵ、メモリ、インターフェース等から構成される。メモリに記憶された所定のプログラムをＣＰＵが実行することによって、後に説明する紙幣処理装置１の各種動作及び制御が実現される。
【００２６】
図２は、紙幣投入部に載置される積層状態のＨＣと紙幣の模式図である。処理対象紙葉類であるＨＣと紙幣は積層され紙葉類群１００を構成している。紙葉類群は、下から順に、第１紙葉類組１１０、第２紙葉類組１２０、第３紙葉類組１３０及び第４紙葉類組１４０を有する。
【００２７】
各紙葉類組は、ＨＣと紙幣束とを有する。すなわち、第１紙葉類組１１０は、第１ＨＣ１１１と第１紙幣束１１２を有する。また、第２紙葉類組１２０は、第２ＨＣ１２１と第２紙幣束１２２を有する。また、第３紙葉類組１３０は、第３ＨＣ１３１と第３紙幣束１３２を有する。また、第４紙葉類組１４０は、第４ＨＣ１４１と第４紙幣束１４２を有する。これらのＨＣ及びこれらの紙幣束に含まれる紙幣が、紙葉類処理装置１によって処理される処置対象紙葉類である。つまり、処理対象紙葉類とは、ＨＣと紙幣とを有する紙葉類組を少なくとも１組以上有する紙葉類群を構成する紙葉類である。
【００２８】
各紙葉類組において、ＨＣは最も下に配置されている。すなわち、各紙葉類組において、ＨＣは紙幣処理装置１によって最初に処理される紙葉類である。なお、各紙葉類組において、ＨＣは最も上に配置されても良い。また、各紙葉類組がそれぞれ一対のＨＣを有し、紙幣束がこの一対のＨＣによって挟まれるようにＨＣが配置されても良い。
【００２９】
第１ＨＣ１１１乃至第４ＨＣ１４１には、それぞれ、第１紙幣束１１２乃至第４紙幣束１４２がどのような紙幣束であるのかを特定する情報が、例えばバーコードの形態で付されている。言い換えると、第１ＨＣ１１１乃至第４ＨＣ１４１には、それぞれ、第１紙幣束１１２乃至第４紙幣束１４２に対応付けられた第１の識別情報が付されている。例えば、第１ＨＣ１１１には、第１紙幣束１１２がどの店舗におけるいつの売上金であるのかを特定する情報、及び、第１紙幣束１１２に含まれている又は含まれているはずの紙幣の合計金額を示す情報のいずれか１つ以上の情報が付されている。
【００３０】
本実施形態に係る紙幣処理装置１は、次のように動作する。
【００３１】
紙幣投入部１０は、紙幣投入部１０に載置された紙葉類群１００を構成するＨＣ及び紙幣、すなわち処理対象紙葉類を、下側に位置しているものから順に１枚ずつ、紙幣処理装置１内に繰り出す。
【００３２】
よって、紙葉類群１００を構成する紙葉類組の中で最も下に位置している第１紙葉類組１１０の処理が最初に行われることとなり、第１紙葉類組１１０の中でも、最も下に位置している第１ＨＣ１１１が、最初に処理されることとなる。
【００３３】
紙幣投入部１０によって繰り出された第１ＨＣ１１１は、搬送部２０によって搬送され、その途中で、第１識別部３１によって、ＨＣであることが識別される。続いて、第２識別部３２によって、ＨＣ１１１に付されている第１の識別情報が取得される。例えば、「第１紙葉類組１１０は店舗Ａの売上金である」という情報が取得される。
【００３４】
その後、第１ＨＣ１１１は、第１リジェクト部４１に搬送される。
【００３５】
第１ＨＣ１１１に引き続いて、第１紙幣束１１２を構成する紙幣が、紙幣投入部１０によって紙幣処理装置１内に順次繰り出される。
【００３６】
第１紙幣束１１２を構成する紙幣は、紙幣投入部１０によって繰り出された後、搬送部２０によって搬送され、その途中で、識別部３０（つまり、第１識別部３１又は第２識別部３２）によって識別される。
【００３７】
識別部３０によって識別された紙幣は、識別結果に応じて、例えば金種毎に仕分けられ、搬送部２０によって第１スタッカ５１乃至第４スタッカ５４の何れかに搬送され、集積される。
【００３８】
これらの処理を通じて、制御部６０は、第１ＨＣ１１１から取得した第１の識別情報（例えば、「第１紙葉類組１１０は店舗Ａの売上金である」という情報）を得る。また、制御部６０は、第１紙幣束１１２の中に含まれている各金種の紙幣の何枚を計数する。よって、制御部６０は、店舗Ａの売上金がいくらであり、その中には各金種の紙幣がそれぞれ何枚含まれているかという情報を得ることができる。
【００３９】
また、識別部３０によってリジェクト紙幣であると識別された紙幣は、第１リジェクト部４１に搬送され、第１ＨＣ１１１上に積層される。リジェクト紙幣の中には搬送時の姿勢や位置が悪かったがゆえに正しく識別されず、リジェクト紙幣であると識別された紙幣も含まれている可能性がある。その場合、適切に処理して店舗Ａの売上金に含ませる必要がある。
【００４０】
よって、リジェクト紙幣と識別され、第１ＨＣ１１１上に積層された紙幣は、第１ＨＣ１１１上に積層された状態のまま、第１ＨＣ１１１とともに再度紙幣投入部１０上に載置され、紙幣処理装置１によって順次処理される。
【００４１】
したがって、第１紙幣束１１２に含まれていた紙幣であってリジェクト紙幣と識別された紙幣は、再度識別部３０で識別される。それによって、当該紙幣を正しく識別し、店舗Ａの売上金に含ませることができる。
【００４２】
なお、第１ＨＣ１１１上に積層された紙幣の紙幣投入部１０への載置は、紙幣投入部１０が空になってから（第４紙葉類組１４０が紙幣処理装置１内に繰り出されてから）行っても良いし、紙幣投入部１０に残っている紙葉類群１００の上に積み重ねるように行っても良い。
【００４３】
以上の処理によって、第１紙葉類組１１０の処理が完了する。
【００４４】
第１紙幣束１１２が全て繰り出されると、引き続いて、第２紙葉類組１２０の処理が開始される。第２紙葉類組１２０は第１紙葉類組１１０と同じように処理される。
【００４５】
第２紙幣束１２２が全て繰り出されると、引き続いて、第３紙葉類組１３０の処理が開始される。第３紙葉類組１３０は第１紙葉類組１１０と同じように処理される。
【００４６】
第３紙幣束１３２が全て繰り出されると、引き続いて、第４紙葉類組１４０の処理が開始される。第４紙葉類組１４０は第１紙葉類組１１０と同じように処理される。
【００４７】
ただし、ＨＣ及びリジェクト紙幣は、直前に処理された紙葉類組が有するＨＣ及び直前に処理された紙葉類組から生じたリジェクト紙幣とは異なる搬送先に搬送されることが好ましい。例えば、第１ＨＣ１１１及び第１紙葉類組１１０から生じたリジェクト紙幣と、第３ＨＣ１３１及び第３紙葉類組１３０から生じたリジェクト紙幣の搬送先は第１リジェクト部４１とし、第２ＨＣ１２１及び第２紙葉類組１２０から生じたリジェクト紙幣と、第４ＨＣ１４１及び第４紙葉類組１４０から生じたリジェクト紙幣の搬送先は第２リジェクト部４２とすることが好ましい。
【００４８】
それにより、処理中の紙葉類組に含まれるＨＣ及びリジェクト紙幣に触れることなく、直前に処理された紙葉類組に含まれるＨＣ及び直前に処理された紙葉類組から生じたリジェクト紙幣を、リジェクト部４０から容易に抜き取ることができる。例えば、第２紙葉類組１２０の処理の間に、第２ＨＣ１２１及び第２紙葉類組１２０から生じたリジェクト紙幣に触れることなく、第１リジェクト部４１から第１ＨＣ１１１及び第１紙葉類組１１０から生じたリジェクト紙幣を容易に抜き取ることができる。
【００４９】
また、第３紙葉類組１３０の処理の間に、第３ＨＣ１３１及び第３紙葉類組１３０から生じたリジェクト紙幣に触れることなく、第２リジェクト部４２から第２ＨＣ１２１及び第２紙葉類組１２０から生じたリジェクト紙幣を容易に抜き取ることができる。
【００５０】
更に、第４紙葉類組１４０の処理の間に、第４ＨＣ１４１及び第４紙葉類組１４０から生じたリジェクト紙幣に触れることなく、第１リジェクト部４１から第３ＨＣ１３１及び第３紙葉類組１１０から生じたリジェクト紙幣を容易に抜き取ることができる。
【００５１】
ＨＣから第１の識別情報を取得することができなかった場合、紙幣処理装置１は次のように動作する。
【００５２】
例えば、第１ＨＣ１１１がＨＣであることが第１識別部３１で識別されたにも関わらず、第２識別部３２が第１ＨＣ１１１から第１の識別情報を取得することができなかった場合、制御部６０は、第１紙幣束１１２に対応付けた第２の識別情報を生成する。第２の識別情報は、取得することができなかった第１の識別情報の代わりの仮の識別情報であり、例えば、「９９９９９９」という数字からなる。
【００５３】
制御部６０は第２の識別情報を生成すると、第１ＨＣ１１１と対応付けて第２の識別情報をメモリに格納する。
【００５４】
なお、この場合も、第１ＨＣ１１１は第１リジェクト部４１に搬送される。
【００５５】
続いて、第１紙幣束１１２が処理される。第１紙幣束１１２は第１ＨＣ１１１と対応付けられた紙幣束である。また、第２の識別情報は第１ＨＣ１１１に対応付けられている。よって、制御部６０は、第１紙幣束１１２を処理する際に各紙幣から取得した金種等の情報を、第２の識別情報に対応付けて、メモリに格納する。
【００５６】
このとき、第１紙幣束１１２は、第１ＨＣ１１１から第１の識別情報を取得することができた場合と同様に、第１リジェクト部４１ではなく集積部５０に搬送され、集積される。
【００５７】
その後、任意のタイミング、例えば、第１紙幣束１１２の処理が終わった後に、第１リジェクト部４１から第１ＨＣ１１１を抜き取るとともに、入力部（不図示）を用いて第１ＨＣ１１１から第１の識別情報を読み取る。
【００５８】
入力部は、第１の識別情報がどのような形態で第１ＨＣ１１１に付されているかに応じて適宜選択される。例えば、第１の識別情報がバーコードの形態で付されている場合は、入力部として手持ち式のバーコード読み取り装置等を用いることができる。第１の識別情報が数字又は文字若しくはこれらの組み合わせである場合は、入力部としてＯＣＲ機能を有するスキャナや、キーボード等を用いることができる。
【００５９】
入力部に第１の識別情報が入力されると、制御部６０は第２の識別情報を第１の識別情報に更新する。つまり、この場合、入力部に入力された第１の識別情報が第２の識別情報の更新情報である。
【００６０】
その結果、第１紙幣束１１２を処理する際に各紙幣から取得した金種等の情報は、第２の識別情報に代えて第１の識別情報に対応付けられる。
【００６１】
また、入力部によって第１の識別情報が読み取られた後、第１ＨＣ１１１及び第１紙幣束１１２から生じたリジェクト紙幣は、積層された状態で、再度紙幣投入部１０上に載置され、紙幣処理装置１によって順次処理される。その結果、一旦リジェクト紙幣と識別された紙幣から、金種等の情報が取得され、当該情報が第１の識別情報に対応付けられる。
【００６２】
したがって、紙幣処理装置１によれば、第１ＨＣ１１１から第１の識別情報を取得することができなくても、第２の識別情報を発生させるとともに紙幣から取得した情報を第２の識別情報に対応付けておくことによって、紙幣の処理を順次行うことができる。よって、第１ＨＣ１１１から第１の識別情報を取得することができなくても、紙幣処理効率が低下することなく、処理を継続することができる。
【００６３】
なお、第１ＨＣ１１１以外のＨＣから第１の識別情報を取得することができなかった場合にも同様に紙幣の処理を順次行うことができることは言うまでもない。
【００６４】
また、第１識別部３１がＨＣであると識別した紙葉類が実際はＨＣではなかった場合、この紙葉類（以下、「誤識別紙葉類」）に対応付けて発生させた第２の識別情報に暫定的に対応付けられている紙幣の対応付け先を修正する必要がある。
【００６５】
そこで、この場合、誤識別紙葉類と第２の識別情報との対応付けの解除指令が入力部に入力される。例えば、リジェクト部４０に搬送された紙葉類がレシート等のＨＣではない紙葉類であった場合、操作者がインターフェースに接続されているキャンセルボタンを押すことによって、解除指令が入力される。この場合、キャンセルボタンが入力部である。キャンセルボタンは物理的なボタンであっても良いし、紙幣処理装置１が有する操作画面上に表示される電子的なボタンであっても良い。
【００６６】
制御部６０は、解除指令が入力されると、第２の識別情報との対応付が解除される誤識別紙葉類と、誤識別紙葉類の後に処理されたＨＣの中で最初に処理されたＨＣとの間に処理された紙幣を、誤識別紙葉類の前に処理されたＨＣの中で最後に処理されたＨＣを有する紙葉類組に含ませる処理を行う。
【００６７】
例えば、誤識別紙葉類が第１紙幣束１１２に紛れ込んでいた場合、誤識別紙葉類の後、且つ、その後最初に処理されたＨＣである第２ＨＣ１２１よりも前に処理された紙幣は、第１紙幣束１１２に含まれる紙幣である。よって、制御部６０は、この紙幣を、誤識別紙葉類の前に処理されたＨＣの中で最後に処理されたＨＣである第１ＨＣ１１１を有する紙葉類組、つまり第１紙葉類組１１０に含ませる処理を行う。
【００６８】
このような処理を行うことにより、第１紙幣束１１２に含まれる紙幣を、第１ＨＣ１１１に適切に対応付けて処理することができる。よって、例えば、第１ＨＣ１１１に付された第１の識別情報が「第１紙葉類組１１０は店舗Ａの売上金である」という情報である場合、次のような効果を得ることができる。すなわち、誤識別紙葉類の前に位置していた第１紙幣束１１２に含まれる紙幣の合計金額と、誤識別紙葉類の後に位置していた第１紙幣束１１２に含まれる紙幣の合計金額とを合算し、店舗Ａの売上金を正確に計上することができる。
【００６９】
なお、制御部６０は誤識別紙葉類と第２の識別情報との対応付けの解除までを行い、その後の処理、例えば、誤識別紙葉類の前後の紙幣の金額の合算は操作者が手動で行っても良い。
【００７０】
上記実施形態においては、処理対象紙葉類から第１の識別情報を読み取ることができず、且つ、処理対象紙葉類がＨＣである場合に、制御部６０は処理対象紙葉類に対応付けた第２の識別情報を生成した。しかしながら、制御部６０が処理対象紙葉類に対応付けた第２の識別情報を生成する条件はこのような場合には限られない。
【００７１】
例えば、処理対象紙葉類から第１の識別情報を読み取ることができず、且つ、処置対象紙葉類が紙葉類群の処理の開始後最初に処理される処理対象紙葉類である場合に、制御部６０は処理対象紙葉類に対応付けた第２の識別情報を生成しても良い。なぜならば、ＨＣが各紙葉類組の中で最初に処理される処理対象紙葉類であれば、紙葉類群の中で最初に処理される処理対象紙葉類はＨＣであり、紙葉類群の処理の開始後最初に処理される処理対象紙葉類をＨＣと見なすことができるからである。
【００７２】
なお、例えば、紙葉類群が紙幣投入部１０に載置された後に紙幣処理装置１に設けられた物理的又は電子的な処理開始ボタンが押されることによって、制御部６０は、紙葉類群の処理の開始を検知することができる。
【００７３】
また、処理対象紙葉類から第１の識別情報を読み取ることができず、且つ、処置対象紙葉類が他の紙葉類群の処理の終了後最初に処理される処理対象紙葉類である場合に、制御部６０は処理対象紙葉類に対応付けた第２の識別情報を生成しても良い。なぜならば、ＨＣが各紙葉類組の中で最初に処理される処理対象紙葉類であれば、他の紙葉類群（すなわち直前に処理された紙葉類群）の処理の終了後、最初に処理される処理対象紙葉類はＨＣであり、他の紙葉類群の処理の終了後最初に処理される処理対象紙葉類をＨＣと見なすことができるからである。
【００７４】
なお、例えば、紙葉類群の処理終了後に、紙幣処理装置１に設けられた物理的又は電子的な処理終了ボタンが押されることによって、制御部６０は、紙葉類群の処理の終了を検知することができる。
【００７５】
また、制御部６０が、紙葉類群の処理が終了した後に、識別部３０による識別結果に基づく処理結果を出力する（例えば、店舗Ａの売上金に関する情報を他の端末に送信する）場合、当該処理結果の出力は、紙葉類群の処理が終了したことを意味する。すなわち、処理対象紙葉類が当該処理結果の出力後最初に処理される処理対象紙葉類であれば、この処理対象紙葉類は他の紙葉類群の処理の終了後最初に処理される処理対象紙葉類ということになる。
【００７６】
よって、制御部６０が、紙葉類群の処理が終了した後に、識別部３０による識別結果に基づく処理結果を出力する場合であって、処理対象紙葉類から第１の識別情報を読み取ることができず、且つ、処理対象紙葉類が当該処理結果の出力後最初に処理される処理対象紙葉類である場合、制御部６０は処理対象紙葉類に対応付けた第２の識別情報を生成しても良い。なぜならば、ＨＣが各紙葉類群の中で最初に処理される処理対象紙葉類であれば、処理結果の出力後最初に処理される処理対象紙葉類はＨＣであり、処理結果の出力後最初に処理される処理対象紙葉類をＨＣと見なすことができるからである。
【００７７】
また、各紙葉類組において一対のＨＣが紙幣束を挟んでおり、処理対象紙葉類から第１の識別情報を読み取ることができず、且つ、処置対象紙葉類が他の紙葉類組の後側のＨＣの直後に処理される紙葉類である場合に、制御部６０は処理対象紙葉類に対応付けた第２の識別情報を生成しても良い。なぜならば、各紙葉類組において一対のＨＣが紙幣束を挟んでいる場合、ある紙葉類組の後側のＨＣの処理の直後に処理される処理対象紙葉類は次に処理される紙葉類組の前側のＨＣであるからである。
【００７８】
これまでに述べてきた紙葉類処理装置１においては、制御部６０を構成するメモリに記憶されているプログラムを、制御部６０を構成するＣＰＵが実行することにより、各種の動作及び制御が実行されるように構成されていた。しかしながら、紙葉類処理装置１と、制御部６０にインターフェースを介して通信可能に接続される端末とを有する紙葉類処理システムによって、上記各種動作及び制御が実行されても良い。
【００７９】
その場合、端末は、制御部６０から第２の識別情報を取得する。その後、端末は、自身が有する記憶装置に第２の識別情報を格納したり、入力部から入力された更新情報で第２の識別情報を更新したりして、上述した各種制御の一部又は全部を実行することができる。すなわち、端末が所定のプログラムを実行することによって、上述した各種制御の一部又は全部が実行されても良い。なお、端末としては、例えば据え置き型のコンピュータや、ノート型パーソナルコンピュータ、タブレット型のコンピュータ又はスマートフォン等の持ち運び可能なコンピュータ等を使用することができる。
【００８０】
また、図３に示されるように、紙幣処理装置１に、追加搬送部２１及び追加集積部７０を有する増設ユニット２を接続しても良い。本実施形態の場合、追加集積部７０は第１追加スタッカ７１、第２追加スタッカ７２、第３追加スタッカ７３及び第４追加スタッカ７４からなる。
【００８１】
追加集積部７０は、仕分けられた紙幣の搬送先として使用することができる。それによって、更に多種類に紙幣を仕分けて集積させることができる。
【００８２】
追加集積部７０は、リジェクト紙幣の搬送先として使用することができる。この場合、紙葉類組毎に異なる場所にＨＣ及びリジェクト紙幣を集積させることができる。その結果、リジェクト紙幣を紙葉類組毎に仕分ける作業が不要となるので、紙幣処理効率を向上させることができる。
【００８３】
また、リジェクト部４０には、ＨＣ及びリジェクト紙幣以外にも紙葉類群１００に混入する雑多な紙葉類が搬送されることや、リジェクト部４０内で紙葉類が折れ曲がったり詰まったりすることがある。これらが原因となって、リジェクト部４０内で、搬送順に紙葉類が積層されないことがある。すなわち、第１リジェクト部４１又は第２リジェクト部４２内に複数の紙葉類組のリジェクト紙幣を集積させると、それらが処理された順序どおり集積されず、互いに異なる紙葉類組から生じたリジェクト紙幣が、混在状態となってしまう恐れがある。これに対し、追加集積部７０が接続される場合、紙葉類組毎にリジェクト紙幣の搬送先が異なるので、複数の紙葉類組の間でリジェクト紙幣が混在状態となることを未然に防止することができる。
【００８４】
なお、リジェクト部４０及び追加集積部７０は、それぞれ、各集積場所（例えば第１リジェクト部４１及び第１追加スタッカ７１）に隣接するように表示部を有していても良い。この場合、各集積場所に搬送されたＨＣから読み取った情報（例えばどの店舗の売上金から生じたリジェクト紙幣であるのかといった情報）を当該表示部に表示させ、操作者の利便性を高めることができる。あるいは、第１の識別情報を読み取ることができなかったＨＣがどの集積場所に集積されているのかを表示させるようにしても良い。それによって、手持ち式のバーコード読み取り装置等を用いてＨＣから第１の識別情報を読み取る作業を効率化することができる。
【００８５】
また、従来、図１に示される紙幣処理装置１と同じハードウェア構成を有する紙幣整理機などにおいて、紙幣の処理中にエラーが発生すると、それまでの計数値を一旦キャンセルして再計数する必要があった。すなわち、各紙葉類組を構成する現物のＨＣ及び紙幣を、第１リジェクト部４１又は第２リジェクト部４２と、第１スタッカ５１乃至第４スタッカ５４とから収集し、各紙葉類組を再構成した後、これ紙幣投入部１０に載置して再処理する必要があった。
【００８６】
しかしながら、エラー発生前に処理された紙幣は、もはや紙葉類組ごとにまとまってはおらず、第１リジェクト部４１及び第２リジェクト部４２と、第１スタッカ５１乃至第４スタッカ５４との中で、他の紙葉類組の紙幣と混在した状態となっている。よって、実際は、各紙葉類組を再構成することは極めて困難である。
【００８７】
そこで、紙幣の処理中にエラーが発生した場合、つぎのように処理を行えば、効率的にエラーからの回復をすることができる。まず、計数済み全紙幣のうち、集積部５０から抜き取られた紙幣を除く紙幣、すなわち、集積部５０内と搬送部２０上に存在する紙幣を、紙幣投入部１０に載置し、金種毎に再計数する。次に、エラー発生前に処理が完了し、含まれる紙幣の金種毎の枚数が確定している紙葉類組に含まれる紙幣の枚数を、再計数結果から金種毎に減じる。次に、その差を、エラー発生時に処理していた紙葉類組に含まれる紙幣と見なす。
【００８８】
なお、集積部５０から抜き取り済みの紙幣は、制御部６０又は制御部６０と接続された端末内に格納されている処理結果データ又は、それらの間における通信記録から自動回復させることができる。よって、再計数する紙幣は、集積部５０内と搬送部２０上に存在する紙幣（すなわち、計数済み全紙幣のうち、集積部５０からまだ抜き取られていない紙幣）だけでよい。
【００８９】
よって、上記のように処理すれば、複数の紙葉類組を有する紙葉類群を処理している間にエラーが発生した場合も、集積部５０内と搬送部２０上に存在する紙幣を計数するだけで、エラー発生時に処理していた紙葉類組を再現することができる。よって、複数の紙葉類組を有する紙葉類群を処理している際に発生したエラーから、効率的に回復することができる。なお、エラー発生時に紙幣投入部に積層されている使用群の中で最下部に位置している紙幣束は、エラー発生時に処理されていた紙葉類組に含まれる紙幣束である。よって、エラー回復後最初に処理される紙幣束の計数結果は、エラー発生時に処理していた紙葉類組の計数結果に追加される。
【００９０】
以上本発明の実施形態について説明したが、本発明は上記実施形態に限定されるものではなく、本発明の趣旨を逸脱しない範囲で種々の変更が可能である。例えば、処理対象となる紙葉類は紙幣に限定されない。処理対象は紙又は樹脂などから作られた小切手、伝票などのシート類であってもよい。
【産業上の利用可能性】
【００９１】
本発明は、ヘッダーカードとともに紙葉類を処理する紙葉類処理装置に適用することができる。よって、その産業上の利用可能性は多大である。
【符号の説明】
【００９２】
１  紙幣処理装置
２  増設ユニット
１０  紙幣投入部
２０  搬送部
２１  追加搬送部
３０  識別部
３１  第１識別部
３２  第２識別部
４０  リジェクト部
４１  第１リジェクト部
４２  第２リジェクト部
５０  集積部
５１  第１スタッカ
５２  第２スタッカ
５３  第３スタッカ
５４  第４スタッカ
６０  制御部
７０  追加集積部
７１  第１追加スタッカ
７２  第２追加スタッカ
７３  第３追加スタッカ
７４  第４追加スタッカ
１００  紙葉類群
１１０  第１紙葉類組
１１１  第１ヘッダーカード（第１ＨＣ）
１１２  第１紙幣束
１２０  第２紙葉類組
１２１  第２ヘッダーカード（第２ＨＣ）
１２２  第２紙幣束
１３０  第３紙葉類組
１３１  第３ヘッダーカード（第３ＨＣ）
１３２  第３紙幣束
１４０  第４紙葉類組
１４１  第４ヘッダーカード（第４ＨＣ）
１４２  第４紙幣束
【図１】
2019028676.tif 000003
【図２】
2019028676.tif 000004
【図３】
2019028676.tif 000005